(57)【要約】      （修正有）【課題】白熱電球の青色発光を増強させる。【解決手段】光透過性の外被１２と；外被内のフィラメント１６と、但し、このフィラメントは、４２０ｎｍ未満の波長を有する少なくとも１つの発光を生じる動作を行なう場合のフィラメントであるものとする；外被の内面上のコーティング１４と、但し、このコーティングは、フィラメントからの発光によって刺激を受けた場合に４２０〜４９０ｎｍの範囲内の放射線を放出するリンを有するものとする、からなる青色を富ませた白熱電球１０。【選択図】図１
0003120289.tif 000002
【実用新案登録請求の範囲】
【請求項１】
光透過性の外被と；
該外被内のフィラメントと、但し、このフィラメントは、４２０ｎｍ未満の波長を有する少なくとも１つの発光を生じる動作を行なう場合のフィラメントであるものとする；
前記外被の内面上のコーティングと、但し、このコーティングは、フィラメントからの発光によって刺激を受けた場合に４２０〜４９０ｎｍの範囲内の放射線を放出するリンを有するものとする、からなる青色を富ませた白熱電球。
【請求項２】
前記コーティングがさらに青色顔料を含有する、請求項１記載の青色を富ませた白熱電球。
【請求項３】
前記リンが一般式ＢａＭｇＡｌ１０Ｏ１７：Ｅｕを有する、請求項１記載の青色を富ませた白熱電球。
【請求項４】
前記コーティングがアルミン酸コバルト約２質量％を含有する、請求項３記載の青色を富ませた白熱電球。
【請求項５】
前記リンから放出された放射線が約４５０ｎｍで最大を有する、請求項１記載の青色を富ませた白熱電球。
【考案の詳細な説明】
【技術分野】
【０００１】
本考案は、青色を富ませた白熱電球、よりいっそう詳述すれば、スペクトルの青色領域での増強された発光を有するかかる電球に関する。
【背景技術】
【０００２】
白熱電球は、１世紀以上に亘ってこの上なくイルミネーションの主流であった。この白熱電球は、簡単に構成することができ、比較的安価に製造することができ、簡単に持ち運びでき、スペクトルの黄−緑部分で強力な発光を有する。熱フィラメントの黒体放射を改良するために、数年来、数多くの技術が使用されてきた。例えば、米国特許第２４０５２６１号明細書には、光の出力を５００〜５６０ｎｍの範囲内で変更するために、クロムグリーンエナメル層を澄明なエナメルに添加することが示唆されている。米国特許第２７５９１１９号明細書には、リン材料を電球外被の内部に添加することが示唆されており、このようなリン材料は、電子の放出およびタングステンフィラメントからの紫外線によって励磁され、スペクトルの緑部分でルミネセンスを生じる。米国特許第５１１８９８５号明細書には、５００ｎｍ未満で放射線を吸収しかつ５００ｎｍ超で放射線を放出するリン材料を封入し、改善された誘蛾灯（bugfoiler lamp）を提供することが示唆されている。
【０００３】
最近、スペクトルの青色領域での富ませた発光を有する白熱電球は、家庭電化製品、所謂”昼光”白熱電球への使用のために紹介された。青領域での前記の相対的な強化を達成させるための方法の１つは、外被のための青の色ガラス、例えばＮｄ２Ｏ３の形のネオジミウムの添加剤を使用するガラスを提供している。米国特許第６６７０７６８号明細書に開示された別の技術は、青のコバルトアルミネート、ＣｏＡｌ２Ｏ４を使用するコーティングを使用している。前記技術は双方ともに、フィラメントによって放出される黄色光の有効な部分を吸収することにより、電球の発光スペクトル中の青の相対的割合を増加している。
【特許文献１】米国特許第２４０５２６１号明細書
【特許文献２】米国特許第２７５９１１９号明細書
【特許文献３】米国特許第５１１８９８５号明細書
【特許文献４】米国特許第６６７０７６８号明細書
【考案の開示】
【考案が解決しようとする課題】
【０００４】
従って、本考案の対象は、公知技術の欠点を排除することである。本考案の別の対象は、白熱電球の青色発光を増強させることである。
【課題を解決するための手段】
【０００５】
前記の本考案の対象および本考案の別の対象は、本考案の１つの視点において、光透過性の外被と；該外被内のフィラメントと、但し、このフィラメントは、４２０ｎｍ未満の波長を有する少なくとも１つの発光を生じる動作を行なう場合のフィラメントであるものとする；前記外被の内面上のコーティングと、但し、このコーティングは、フィラメントからの発光によって刺激を受けた場合に４２０〜４９０ｎｍの範囲内の放射線を放出するリンを有するものとする、からなる青色を富ませた白熱電球を提供することによって達成される。本考案の１つの好ましい実施態様において、前記コーティングは、ユウロピウムにより活性化されたバリウムマグネシウムアルミネート燐を含有し、アルミン酸コバルト顔料を含有していてよい。本考案において使用されてよい他のリンは、次のものを含む：ＸＭｇＡｌ１０Ｏ１７：ＥｕおよびＸＭｇＡｌ１０Ｏ１７：Ｅｕ，Ｍｎ（Ｘ＝Ｓｒおよび／またはＢａ）、ＸＡｌ２Ｏ４：ＥｕおよびＸ４Ａｌ１４Ｏ２５：Ｅｕ、但し、この場合Ｘは、Ｃａ、Ｓｒおよび／またはＢａであるものとする、ならびにＳｒ６Ｂ（ＰＯ４）５：Ｅｕ、Ｓｒ２Ｐ２Ｏ７：Ｅｕ、Ｘ５Ｃｌ（ＰＯ４）３：Ｅｕ（Ｘ＝Ｃａ、Ｓｒ、Ｂａ）およびＹ２Ｏ３：Ｂｉ。白熱電球は、水銀、多数の硫化物、珪酸塩、ハロゲン化物、酸ハロゲン化物および酸硫化物リン、例えばＺｎＳ、ＺｎＳ：ＡｇおよびＳｒＳ：Ｅｕを含まないけれども、Ｈｇ放電灯に使用されていない前記物質は、本考案のために使用されることができた。
【考案を実施するための最良の形態】
【０００６】
本考案を本考案の他の対象およびさらに他の対象、本考案の利点および特性と共に、よりいっそう理解するために、下記の図の記載に関連して次の開示内容および係属している実用新案登録請求の範囲の記載が引用されている。
【実施例】
【０００７】
さて、重要な特殊性を有する図に関連して、図１には、本考案の１つの視点により、Ａラインタイプの白熱電球１０の光透過性ガラス外被１２の内面上にコーティング１４を有する前記白熱電球１０が図示されている。フィラメント１６、例えばタングステンは、引き込み線１８ａおよび１８ｂに電気的に接続され、これらの引き込み線１８ａおよび１８ｂによって支持されており、これらの引き込み線１８ａおよび１８ｂは、前記電球の封止部を通って延在し、公知技術と同様に、ねじ込み口金２０に結合されている。口金の他の形、例えば差込口金として公知技術で公知のタイプが使用されてもよい。付加的に、支持線材１７は、フィラメント１６のための別の支持体を提供することができる。コーティング１４は、スラリーにより塗布されてもよいし、選択的に、前記コーティングは、当業者に十分に公知の手段により静電的に塗布されてもよい。例えば、米国特許第２９９５４６３号明細書、米国特許第３１２５４５７号明細書、米国特許第３３２０４６０号明細書および米国特許第４６３３１２７号明細書参照。
【０００８】
コーティング１４は、熱いタングステンフィラメントからの紫外／紫発光（４２０ｎｍ未満）によって励磁される青色発光リンを含有し、１つの結果として、４２０〜４９０ｎｍの範囲内の放射線を放出する。本考案の１つの好ましい実施態様において、前記リンは、ユウロピウムにより活性化されたバリウムマグネシウムアルミネート燐からなる。好ましくは、このリンは、ＢａＭｇＡｌ１０Ｏ１７：Ｅｕ（以下、および図中、ＢＡＭ）の一般式を有する。前記コーティングは、青色顔料、例えばアルミン酸コバルト、ＣｏＡｌ２Ｏ４の添加によってさらに十分に増強されることができる。
【０００９】
更に、図２に関連して、本考案によるコーティングの反射曲線が図示されている。このコーティングは、ＢａＭｇＡｌ１０Ｏ１７：Ｅｕ（OSRAM SYLVANIAタイプ２４６７）とＣｏＡｌ２Ｏ４との混合物からなる。このコーティングは、スペクトルの黄色部分で強力な吸収を提供し、したがって青色の物体色を提供する。
【００１０】
図３は、透明の外被（実線）、リンで被覆された外被（点線）およびリンおよびＣｏＡｌ２Ｏ４で被覆された外被を有する白熱電球の放出強度の比較を示す。この例においては、それぞれリンは、ＢａＭｇＡｌ１０Ｏ１７：Ｅｕである。
【００１１】
図４は、ＢａＭｇＡｌ１０Ｏ１７：Ｅｕで被覆された白熱電球および透明の白熱電球からの標準化された放出曲線の詳細な比較を提供する。これら双方の電球は、１５０ワットで動作された。フィラメントからの約３５０ｎｍ〜約４１０ｎｍの短波長での発光吸収は、約４５０ｎｍでの増強された発光と共に明らかに目視することができる。
【００１２】
現時点で考慮された本考案の好ましい実施態様を示しかつ記載したけれども、当業者にとっては、係属された実用新案登録請求の範囲によって定義された本考案の範囲を逸脱することなく、本明細書中で種々の変化および変更が可能であることは、明らかなことであろう。
【図面の簡単な説明】
【００１３】
【図１】本考案による白熱電球の１つの実施態様を示す、部分的に断面図を有する略図。
【図２】青色を発光するリンおよび青色顔料からなるコーティングの反射率を示す線図。
【図３】透明の外被、青色を発光するリンで被覆された外被および青色を発光するリンとアルミン酸コバルト顔料との混合物で被覆された外被を有する白熱電球の標準化された放出曲線を示す線図。
【図４】リンで被覆された外被および透明の外被を有する白熱電球の標準化された放出曲線を示す線図。
【符号の説明】
【００１４】
１０  白熱電球、  １２  光透過性ガラス外被、  １４  コーティング、  １６  フィラメント、  １７  支持線材、  １８ａ、１８ｂ  引き込み線、  ２０  ねじ込み口金
【図１】
0003120289.tif 000003
【図２】
0003120289.tif 000004
【図３】
0003120289.tif 000005
【図４】
0003120289.tif 000006